(57)【要約】【課題】壁面に形成された凹所に、容易に直接物を出し入れでき、しかも、隠し扉となる壁面扉構造を提供する。【解決手段】壁面１に形成された凹所２の前面開口４を開閉する扉５が上下に昇降可能に設けられており、上昇した際に、少なくとも上部が天井懐１０に収納されるので、扉５が開いた状態において、凹所２の前面開口４内から扉５を上方に逃がすことができ、よって、この凹所２に、容易に直接物を出し入れできる。また、扉５が昇降することによって、凹所２の前面開口４が開閉するので、引戸等のように開口横の壁にこのような扉用のスペースを確保する必要もなく、また、回転扉等のように扉の上下縁と、開口縁との間に隙間を形成する必要もないので、閉じた状態では隠し扉とすることができる。【選択図】        図１
2005016202.tif 000002
【特許請求の範囲】
【請求項１】
壁面に形成された凹所と、この凹所の前面開口を開閉する扉とを備えた壁面扉構造であって、
前記扉は上下に昇降可能に設けられており、上昇した際に、少なくとも上部が天井懐に収納されることを特徴とする壁面扉構造。
【請求項２】
請求項１に記載の壁面扉構造でにおいて、
前記扉は、前記天井懐に設けられた吊下げ機構によって昇降可能に吊下げられていることを特徴とする壁面扉構造。
【請求項３】
請求項２に記載の壁面扉構造において、
前記吊下げ機構は、前記扉の上端部の両側に、それぞれ一端部が連結された一対のワイヤと、
該一対のワイヤの他端部がそれぞれ連結され、前記扉とほぼ同じ重さの錘と、
前記天井懐に設けられて、前記一対のワイヤがそれぞれ巻き掛けられるとともに、これらワイヤを交差させたうえで、前記錘に向けて垂下させるプーリ群とを備えていることを特徴とする壁面扉構造。
【請求項４】
請求項１〜３のいずれかに記載の壁面扉構造において、
前記扉の上端部の両側部には、それぞれガイド板が取り付けられており、このガイド板は前記天井懐の壁に形成されたガイド溝に上下に摺動可能に挿入されていることを特徴とする壁面扉構造。
【請求項５】
請求項２〜４のいずれかに記載の壁面扉構造において、
前記凹所の上面には、凹所用天井が取外し可能に設けられていることを特徴とする壁面扉構造。
【発明の詳細な説明】
【０００１】
【発明の属する技術分野】
本発明は、住宅等の建物内の壁面に形成された凹所と、この凹所の前面開口を開閉する扉とを備えた壁面扉構造に関する。
【０００２】
【背景の技術】
壁面に凹部（凹所）を形成し、この凹所を収納として利用する技術の一例として特許文献１に記載のものが知られている。
この技術は、壁面の一部を後退させて凹部を形成し、少なくとも一方の面にコート掛け等の所定の収納具を取付けた収納板を、該収納板の鉛直対称軸線回りに回動自在に凹部の開口に配設したものである。収納板は凹部の開口を開閉する扉としても機能するものであり、この扉を鉛直対称軸線回りに回動させることで、凹部の開口を開閉できるようになっている。
【０００３】
【特許文献１】
特開平８−３３８１２６号公報
【０００４】
【発明が解決しようとする課題】
ところで、上記のような扉は、回転して凹部の開口を開閉するものであるので、扉が開いた状態でも開口内に扉が位置してしまい、凹部内に直接収納物を出し入れし難いという問題がある。
凹部の開口を開閉する扉を引戸にすれば、扉が開いた状態でこの扉を開口横に逃がすことができるが、この場合、開口横の壁にこのような扉用のスペースを確保する必要がある。
【０００５】
また、壁面に凹部（凹所）を形成し、この凹所を収納等として使用する場合、凹所の開口を開閉する扉を、閉じた状態では扉として判らないようにした、いわゆる隠し扉としたいという要望もあるが、上述したような引戸では開口横の壁にこのような扉用のスペースを確保する必要があるため、隠し扉とすることは困難である。また、上述したような回転式の扉では、回転させるために、扉の上下縁と、開口縁との間に隙間を形成する必要があるため、この隙間のために、隠し扉とすることは困難である。
【０００６】
本発明は上記事情に鑑みてなされたもので、壁面に形成された凹所に、容易に直接物を出し入れでき、しかも、隠し扉となる壁面扉構造を提供することを課題としている。
【０００７】
【課題を解決するための手段】
上記課題を解決するために、請求項１に記載の発明は、例えば図１〜図５に示すように、壁面１に形成された凹所２と、この凹所２の前面開口４を開閉する扉５とを備えた壁面扉構造であって、
前記扉５は上下に昇降可能に設けられており、上昇した際に、少なくとも上部が天井懐１０に収納されることを特徴とする。
【０００８】
天井懐とは、上下階の間に設けられるもので、下階の天井と上階の床との間にある空間のことである。
近年では、この天井懐を利用して収納を設ける場合があり、この場合、天井懐の高さは、１２０ｃｍ〜１４０ｃｍに設定されている。
また、上下に昇降可能な扉は、上下の所望の位置で停止できるように構成するのが望ましい。また、扉を昇降させる場合は、手動で昇降させてもよいし、電動で昇降させるようにしてもよい。
【０００９】
請求項１に記載の発明によれば、壁面１に形成された凹所２の前面開口４を開閉する扉５が上下に昇降可能に設けられており、上昇した際に、少なくとも上部が天井懐１０に収納されるので、扉５が開いた状態において、凹所２の前面開口４内から扉５を上方に逃がすことができ、よって、この凹所２に、容易に直接物を出し入れできる。
また、扉５が昇降することによって、凹所２の前面開口４が開閉するので、引戸等のように開口横の壁にこのような扉用のスペースを確保する必要もなく、また、回転扉等のように扉の上下縁と、開口縁との間に隙間を形成する必要もないので、閉じた状態では隠し扉とすることができる。
【００１０】
請求項２に記載の発明は、例えば図１、図６〜図９に示すように、請求項１に記載の壁面扉構造でにおいて、
前記扉５は、前記天井懐１０に設けられた吊下げ機構１１によって昇降可能に吊下げられていることを特徴とする。
【００１１】
請求項２に記載の発明によれば、扉５を昇降可能に吊下げる吊下げ機構１１が天井懐１０に設けられているので、吊下げ機構１１によって部屋のスペースが狭くなることもない。また、この吊下げ機構１１が部屋内から見えることがなく、よって、この点においても隠し扉とすることができる。
【００１２】
請求項３に記載の発明は、請求項２に記載の壁面扉構造において、
前記吊下げ機構１１は、前記扉５の上端部の両側に、それぞれ一端部が連結された一対のワイヤ２０ａ，２０ｂと、
該一対のワイヤ２０ａ，２０ｂの他端部がそれぞれ連結され、前記扉５とほぼ同じ重さの錘２１と、
前記天井懐１０に設けられて、前記一対のワイヤ２０ａ，２０ｂがそれぞれ巻き掛けられるとともに、これらワイヤ２０ａ，２０ｂを交差させたうえで、前記錘２１に向けて垂下させるプーリ群（プーリ２４ａ〜２７ａ、プーリ２４〜２７ｂ）２２とを備えていることを特徴とする。
【００１３】
請求項３に記載の発明によれば、扉５の上端部に両側に一対のワイヤ２０ａ，２０ｂの一端部がそれぞれ連結され、該ワイヤ２０ａ，２０ｂがプーリ群２２に巻き掛けられ、交差されたうえで、錘２１に他端部がそれぞれ連結されるので、扉５は錘２１と釣り合うとともに、左右への振れが防止されてスムーズに昇降する。
したがって、小さな力で容易に扉５をスムーズに昇降させることができ、また、所望の位置で扉５を停止させることができる。
【００１４】
請求項４に記載の発明は、請求項１〜３のいずれかに記載の壁面扉構造において、
前記扉５の上端部の両側部には、それぞれガイド板３０，３０が取り付けられており、このガイド板３０，３０は前記天井懐１０の壁に形成されたガイド溝３１，３１に上下に摺動可能に挿入されていることを特徴とする。
【００１５】
請求項４に記載の発明によれば、扉５の上端部の両側部に取付けられたガイド板３０，３０が、ガイド溝３１，３１に上下に摺動可能に挿入されているので、扉５が昇降する際にその扉５の面と直交する方向への振れが防止され、よって、扉５をスムーズに昇降させることができる。
【００１６】
請求項５に記載の発明は、例えば図１および図４に示すように、請求項２〜４のいずれかに記載の壁面扉構造において、
前記凹所２の上面には、凹所用天井１５が取外し可能に設けられていることを特徴とする。
【００１７】
請求項５に記載の発明によれば、凹所２の上面に凹所用天井１５が取外し可能に設けられているので、この凹所用天井１５を取り外すことによって、天井懐１０内に設けられている吊下げ機構１１や扉５を確認でき、扉５の昇降に不具合が生じた際の原因を発見して、補修することができる。
【００１８】
【発明の実施の形態】
以下、図面を参照して、本発明に係る壁面扉構造の実施の形態について説明する。
図１は本実施の形態の壁面構造を示すもので、その側断面図、図２は扉を開いた状態を示す正面図、図３は扉を閉じた状態を示す正面図である。
【００１９】
これらの図に示すように、壁面１には凹所２が形成されている。壁面１は住宅等の建物における１階の和室の壁面であり、凹所２の横には押入が設けられ、この押入の前面開口を開閉する襖障子３が設けられている。
凹所２は正面視矩形状のものであり、壁面１の一部を後退させることによって形成されている。この凹所２の前面開口４を開閉する扉５が設けられている。前面開口４の下縁は床面とほぼ等しい位置にあり、また上縁は垂れ壁６の下縁と等しい位置にある。
【００２０】
また、和室の天井７と２階の床８との間にある天井懐１０には、吊下げ機構１１が設けられており、扉５はこの吊下げ機構１１によって昇降可能に吊下げられている。なお、本実施の形態では、天井懐１０の高さは１２０〜１４０ｃｍに設定されており、この天井懐１０を利用して、和室の天井と２階の床との間に収納を設けている。
扉５は矩形板状に形成されており、その下端部には図４に示すように、扉５の表面から突出する突起部５ａが扉５の幅方向に延在して形成されている。また、扉５の表面には壁面１に貼着されているクロスと同一のクロス５ｂが貼着されている。
【００２１】
前記壁面１を構成する壁１２には、前記凹所２の前面開口４と対向する部位において、矩形の開口部１２ａが形成されており、この開口部１２ａの上縁は前記垂れ壁６の下縁より上方に位置している。
そして、扉５は前記壁１２の裏面に沿って上下に昇降するようになっており、上昇した際において、その下端部を残して殆どが天井懐１０に収納される。また、扉５は上昇した際において、その下端部は前記垂れ壁６の表面側に位置しており、扉５の下端は垂れ壁６の下端とほぼ同高さに位置している。
【００２２】
また、前記凹所２の上面には、凹所用天井１５が取外し可能に設けられている。すなわち、凹所２の上部の内壁面には、図４および図５に示すように、廻り縁１６が４周に取付けられており、これら廻り縁１６上に凹所用天井１５が載置されている。したがって、この凹所用天井１５を下から押し上げることによって、取り外せるようになっている。なお、この凹所用天井１５は、和室の天井７より低い位置に設けられており、この凹所用天井１５と２階の床８との間も天井懐１０の一部となっている。
【００２３】
前記天井懐１０には、上述したように、吊下げ機構１１が設けられており、扉５はこの吊下げ機構１１によって昇降可能に吊下げられている。吊下げ機構１１は以下のように構成されている。
すなわちまず、図６〜図９に示すように、吊下げ機構１１は、一対のワイヤ２０ａ，２０ｂと、これらワイヤ２０ａ，２０ｂが連結される錘２１と、ワイヤ２０ａ，２０ｂを交差させたうえで、前記錘に向けて垂下させるプーリ群２２とを備えている。
【００２４】
一対のワイヤ２０ａ，２０ｂのそれぞれの一端部は、扉５の上端部に両側に連結されている。この連結は、扉５の上端部の両側に連結金具２３，２３を固定し、該連結金具２３，２３にワイヤ２０ａ，２０ｂの一端部を連結することによって行われている。
前記錘２１は、基板２１ａとこの基板２１ａに着脱自在に取り付けられる複数の鉛インゴット２１ｂ…とを備えており、鉛インゴット２１ｂの数によって、重さを調節できるようになっており、錘２１は扉５の重さとほぼ等しくなるように重さ調節されている。
【００２５】
前記プーリ群２２は、一方のワイヤ２０ａが巻き掛けられる４つのプーリ２４ａ，２５ａ，２６ａ，２７ａと、他方のワイヤ２０ｂが巻き掛けられる４つのプーリ２４ｂ，２５ｂ，２６ｂ，２７ｂの合計８つのプーリで構成されている。
プーリ２４ａ，２４ｂは、扉５の直上に設けられている。すなわち、図１に示すように、２階の床８には枠体２８ａが合板２８ｂによって取付けられており、この枠体２８ａにプーリ２４ａ，２４ｂが回転可能に取り付けられている。なお、プーリ２４ａ，２４ｂの回転軸は扉５の幅方向と平行になっている。
そして、扉５の上端部の両側に、一端部が連結されたワイヤ２０ａ，２０ｂはまず、プーリ２４ａ，２４ｂに巻き掛けられている。
【００２６】
プーリ２５ａ，２５ｂは、プーリ２４ａ，２４ｂより水平方向奥側に設けられている。すなわち、２階の床に合板２８ｂを介して取り付けられた前記枠体２８ａにプーリ２５ａ，２５ｂが回転可能に取り付けられている。プーリ２５ａ，２５ｂは、プーリ２４ａ，２４ｂと回転軸が平行であり、かつ、同じ高さに設けられている。
そして、プーリ２４ａ，２４ｂに巻き掛けられたワイヤ２０ａ，２０ｂは、プーリ２５ａ，２５ｂに巻き掛けられている。
【００２７】
プーリ２６ａ，２６ｂは、プーリ２５ａ，２５ｂの下方に設けられ、枠体２８ａに取付けれられている。プーリ２６ａ，２６ｂは、プーリ２５ａ，２５ｂに対して回転軸が直交している。また、プーリ２６ａ，２６ｂの鉛直方向の接線は、プーリ２５ａ，２５ｂの鉛直方向の接線と等しくなっている。
そして、プーリ２５ａ，２５ｂに巻き掛けられたワイヤ２０ａ，２０ｂは、前記接線に沿って下方に向かい、プーリ２６ａ，２６ｂに巻き掛けられている。
【００２８】
プーリ２７ａ，２７ｂは、プーリ２６ｂ，２６ａの直下に設けられ、枠体２８に取付けれられている。プーリ２７ａ，２７ｂは、プーリ２６ｂ，２６ａと回転軸が平行である。
そして、プーリ２６ａ，２６ｂに巻き掛けられたワイヤ２０ａ，２０ｂは、交差されたうえで、プーリ２７ａ，２７ｂに巻き掛けられている。また、ワイヤ２０ａ，２０ｂが交差部で接触しないように、プーリ２６ａ，２７ａとプーリ２６ｂ，２７ｂとは、枠体２８ａからの突出位置を若干変えて取り付けられている。
【００２９】
プーリ２７ａ，２７ｂに巻き掛けられたワイヤ２０ａ，２０ｂは、錘２１に向けて垂下され、ワイヤ２０ａ，２０ｂの他端部が錘２１の基板２１ａの上端部両側にそれぞれ連結されている。この連結は、扉５の場合と同様に、基板２１ａの上端部の両側に連結金具２３，２３を固定し、該連結金具２３，２３にワイヤ２０ａ，２０ｂの他端部を連結することによって行われている。
【００３０】
また、前記扉５の上端部の両側部には、図５および図６に示すように、それぞれガイド板３０，３０が取り付けられている。
一方、前記天井懐１０を形成する壁には、ガイド溝３１，３１が形成されており、該ガイド溝３１，３１に、ガイド板３０，３０が上下に摺動可能に挿入されている。
したがって、扉５が昇降する際にその扉５の面と直交する方向への振れが防止され、よって、扉５をスムーズに昇降させることができる。
【００３１】
上記のように構成された壁面扉構造では、壁面１に形成された凹所２は、和室にあるので、例えば仏壇置き場や収納として使用される他、簡単な書院としても使用できる。凹所２には図２に示すように、コンセント３２を設けてあるので、凹所２に和風の電気スタンド等を設置してもよい。
そして、凹所２を開く場合、扉５を手で上方に引き上げることによって、上昇する。上昇した際、扉５の下端部を残して殆どが天井懐１０に収納されるので、扉５が開いた状態において、凹所２の前面開口内４から扉５を上方に逃がすことができ、よって、この凹所４に、容易に直接物を出し入れできる。
また、扉５が昇降することによって、凹所２の前面開口４が開閉するので、引戸等のように開口横の壁にこのような扉用のスペースを確保する必要もなく、また、回転扉等のように扉の上下縁と、開口縁との間に隙間を形成する必要もないので、閉じた状態では隠し扉とすることができる。なお、扉を開けた状態から閉じる場合は、扉５の下端に形成されている突起部５ａを掴んで引き下げることによって扉を容易に下降させることができる。
【００３２】
さらに、吊下げ機構１１が天井懐１０に設けられているので、吊下げ機構１１によって部屋（和室）のスペースが狭くなることもない。また、この吊下げ機構１１が部屋内から見えることがなく、よって、この点においても隠し扉とすることができる。
また、扉５の上端に両側に一対のワイヤ２０ａ，２０ｂの一端部がそれぞれ連結され、該ワイヤ２０ａ，２０ｂがプーリ群（プーリ２４ａ〜２７ａ、プーリ２４〜２７ｂ）２２に巻き掛けられ、交差されたうえで、錘２１の基板２１ａに他端部がそれぞれ連結されるので、扉５は錘２１と釣り合うとともに、左右への振れが防止されてスムーズに昇降する。
したがって、小さな力で容易に扉５をスムーズに昇降させることができ、また、所望の位置で扉５を停止させることができる。
また、凹所用天井１５を取り外すことによって、天井懐１０内に設けられている吊下げ機構１１や扉５を確認でき、扉５の昇降に不具合が生じた際の原因を発見して、補修することができる。
【００３３】
なお、本実施の形態では、本発明に係る壁面扉構造を、和室の押入横の壁面１に形成した凹所２に適用した場合について説明したが、本発明はこれに限ることなく、廊下、洗面所、キッチン、居間等の壁面に形成した凹所に適用してもよい。また、天井懐の高さが低い場合は、壁の上部に凹所を形成し、この凹所に適用すればよい。
【００３４】
【発明の効果】
以上説明したように、請求項１に記載の発明によれば、壁面に形成された凹所の前面開口を開閉する扉が上昇した際に、少なくともその上部が天井懐に収納されるので、扉が開いた状態において、凹所の前面開口内から扉を上方に逃がすことができ、よって、この凹所に、容易に直接物を出し入れできる。
また、扉が昇降するので、引戸等のように開口横の壁にこのような扉用のスペースを確保する必要もなく、また、回転扉等のように扉の上下縁と、開口縁との間に隙間を形成する必要もないので、閉じた状態では隠し扉とすることができる。
【００３５】
請求項２に記載の発明によれば、吊下げ機構が天井懐に設けられているので、部屋のスペースが狭くなることもない。また、この吊下げ機構が部屋内から見えることがいので、この点においても隠し扉とすることができる。
【００３６】
請求項３に記載の発明によれば、扉が錘と釣り合うとともに、左右への振れが防止されてスムーズに昇降するので、小さな力で容易に扉をスムーズに昇降させることができ、また、所望の位置で扉を停止させることができる。
【００３７】
請求項４に記載の発明によれば、ガイド板とこのガイド板が摺動可能に挿入されるガイド溝によって、扉が昇降する際の扉の面と直交する方向への振れが防止され、よって、扉をスムーズに昇降させることができる。
【００３８】
請求項５に記載の発明によれば、凹所用天井を取り外すことによって、天井懐内に設けられている吊下げ機構や扉を確認でき、扉の昇降に不具合が生じた際の原因を発見して、補修することができる。
【図面の簡単な説明】
【図１】本発明の壁面扉構造の一例を示すもので、その側断面図である。
【図２】同、扉を開いた状態を示す正面図である。
【図３】同、扉を閉じた状態を示す正面図である。
【図４】図１におけるＸ円部の拡大図である。
【図５】本発明の壁面扉構造の一例を示すもので、その平断面図である。
【図６】同、吊下げ機構の斜視図である。
【図７】同、吊下げ機構の側面図である。
【図８】同、吊下げ機構の背面図である。
【図９】同、吊下げ機構の平面図である。
【符号の説明】
１  壁面
２  凹所
４  前面開口
５  扉
１０  天井懐
１１  吊下げ機構
１５  凹所用天井
２０ａ，２０ｂ  ワイヤ
２１  錘
２２  プーリ群
２４ａ〜２７ａ  プーリ
２４ｂ〜２７ｂ  プーリ
３０  ガイド板
３１  ガイド溝
【図１】
2005016202.tif 000003
【図２】
2005016202.tif 000004
【図３】
2005016202.tif 000005
【図４】
2005016202.tif 000006
【図５】
2005016202.tif 000007
【図６】
2005016202.tif 000008
【図７】
2005016202.tif 000009
【図８】
2005016202.tif 000010
【図９】
2005016202.tif 000011